(57)【要約】【課題】  ベランダ等に容易に設けられる、部品点数を大幅に削減した簡単な構造の緑のカーテン・キットを提供する。【解決手段】    植物による緑のカーテンを育成するためのキットであって、植物が絡んで成長するためのネット３と、ネットの重量を負担するための２本の支柱１と、を備え、２本の支柱は、ともに、複数の、パイプおよび／または棒状部材によって形成され、天井に当接する天井当接部７ａおよび床に当接する床当接部７ｂと、当該支柱の長さを調整するための長さ調節部２１，２２，２５，２６，２７と、を有することを特徴とする。【選択図】        図１
0003152360.tif 000002
【実用新案登録請求の範囲】
【請求項１】
植物による緑のカーテンを育成するためのキットであって、
前記植物が絡んで成長するためのネットと、
天井と床との間に突っ張って立つ、前記ネットの重量を支えるための２本の支柱と、を備え、
前記２本の支柱は、ともに、
複数の、パイプおよび／または棒状部材によって構成され、
前記天井に当接する天井当接部および前記床に当接する床当接部と、
当該支柱の長さを調整するための長さ調節部と、を有することを特徴とする、緑のカーテン・キット。
【請求項２】
前記２本の支柱は、長さ方向の圧縮力に対して反力を発生する弾性部材を、さらに有することを特徴とする、請求項１に記載の緑のカーテン・キット。
【請求項３】
前記ネットを吊り下げるための吊り下げ部品を備え、前記２本の支柱は前記吊り下げ部品を支持することで、前記ネットの重量を支えることを特徴とする、請求項１に記載の緑のカーテン・キット。
【請求項４】
前記吊り下げ部品が、可変長または一定長のビーム状部材であり、該ビーム状部材の両端に当該ビーム状部材の断面より大きな断面のビーム端部が設けられ、前記２本の支柱には、前記吊り下げ部品の上下移動に際し、前記ビーム端部を脱着可能に嵌め入れてガイドするためのガイド部が設けられ、該ガイド部には、前記吊り下げ部品を係止するための係止部が、少なくとも一つ設けられていることを特徴とする、請求項３に記載の緑のカーテン・キット。
【請求項５】
前記ガイド部が、前記支柱と一定間隔を保って該支柱に沿って並行するように両端部が該支柱に固定された棒状部材、または、前記支柱の構成部品であるパイプに設けられた長孔、であることを特徴とする、請求項４に記載の緑のカーテン・キット。
【請求項６】
前記吊り下げ部品が、紐状部品を主要部品に含み、前記支柱に、該紐状部品を係止する係止部、および、該紐状部品を締結する締結部、の少なくとも一方が設けられていることを特徴とする、請求項３に記載の緑のカーテン・キット。
【考案の詳細な説明】
【技術分野】
【０００１】
本考案は、アパート、マンション、戸建て住宅などのベランダ等に簡単に配置することができる、快適性を増大させる緑のカーテン・キットに関するものである。
【背景技術】
【０００２】
環境意識が高まり、夏季の暑熱等を植物によって和らげ、また建物の美観を植物によって高めることが志向されている。このため建物の外壁に沿って移動可能な、プランタを収納する移動式骨組構造の提案がされている（特許文献１，２）。また、ベランダ等の狭い空間に草花、野菜等を育てるためのプランタ配置構造の提案もなされている（特許文献３，４）。これらの提案によれば、建造物の壁面に緑の壁を形成し、オフィスビル、住居、マンション等の窓辺に緑陰カーテンを得ることができる。
【先行技術文献】
【特許文献】
【０００３】
【特許文献１】特開２００６−２２５７３号公報
【特許文献２】特開平０５−２９２８４０号公報
【特許文献３】実用新案登録第３１０７０７６号
【特許文献４】実用新案登録第３１１５６９９号
【考案の概要】
【考案が解決しようとする課題】
【０００４】
しかし、上記の移動式骨組構造は、大掛かりな装置であり、個人にとって購入しにくい価格であり、また構造上または強度上、個人の住宅に設けることが不可能な場合が多い。一方、プランタ配置構造については、個人にとって購入可能かもしれないが、付属的な部分が多くあり、構造が複雑であり、気軽に購入できる価格になりにくい。このため、部品点数の削減によるより一層の経済性の向上が望まれている。また、高齢者や児童にとって、このようなプランタ配置構造を組み立てることは、それほど容易ではない。高齢者の気持ちを和ませ、また、児童の情操意識を高めるために、気軽に購入でき、かつ容易に組み立てることができるものが望まれている。当然のことであるが、ベランダ等の緑陰カーテンは、働き盛りの成人にとっても快適なものであり、また夏季の冷房の電気代を節減することができるので、気軽に購入でき、容易に組み立てできることは大いに望ましい。  
【０００５】
本考案は、ベランダ等に容易に設けられる、部品点数を大幅に削減した簡単な構造の緑のカーテン・キットを提供することを目的とする。
【課題を解決するための手段】
【０００６】
本考案の緑のカーテン・キットは、植物による緑のカーテンを育成するためのキットである。この緑のカーテン・キットは、植物が絡んで成長するためのネットと、天井と床との間に突っ張って立つ、ネットの重量を支えるための２本の支柱と、を備える。そして、２本の支柱は、ともに、複数の、パイプおよび／または棒状部材によって構成され、天井に当接する天井当接部および床に当接する床当接部と、当該支柱の長さを調整するための長さ調節部と、を有することを特徴とする。
【０００７】
上記の緑のカーテン・キットは、部品点数を絞り込み、最低限の部材を用いて、非常に簡単な構造に基づいて、ベランダ等に緑のカーテンを形成することができる。当接部を天井面と床面とに当接させて突っ張って立てられた支柱は、安定して立ち、倒壊を防止される。キットの組み立ては、天井面と床面とに当接部が当たるように２本の支柱の長さを、長さ調節部により調節しつつ突っ張るように立てて固定することが主作業になる。この主作業に付随的に並行させてまたは前もって、ネットを、所定の部材を用いながら、または他部材を用いずに直接、支柱に取り付ける、ことにより、大略、完成する。これらの作業は非常に簡単であり、一人で容易に組み立てることができる。
プランタは既に保有してあれば、そのプランタを用いることができ、また保有してなければ、本キットとは別に購入すればよい。できればキャスタ付きのプランタが好ましいが、キャスタ付きでなくてもよい。キャスタ付のプランタであれば、ネットと組み合わせてスライドさせることで、ベランダの使用範囲を狭めることなく自由に移動が可能である。
また、上記の緑のカーテン・キットは、植物以外の目的、たとえば、よしず、シェードなどを吊り下げるために用いてもよい。
【０００８】
上記の２本の支柱は、長さ方向の圧縮力に対して反力を発生する弾性部材を、さらに有することができる。この弾性部材によって、ベランダ等の天井と床との間に、より強い力で突っ張らせることで、支柱を非常に安定して立てることができる。支柱の当接部から天井および床に対して反力が付加され、これによる摩擦力が、床面／当接部および天井面／当接部、に発生する。このため、植物が絡んだネットが強い風を受けても、上記の摩擦力が発生するので、安定して立っていることができる。
【０００９】
ネットを吊り下げるための吊り下げ部品を備え、２本の支柱は吊り下げ部品を支持することで、ネットの重量を支えることができる。これによって、ネットを２本の支柱間に弛みや重なりなしに、きちんと張ることができる。ネットの吊り下げ部品への取り付け方は、ネットの網目に吊り下げ部品を交互に通す取り付け方でもよいし、複数のリングにネット上端を固定し、そのリングを吊り下げ部品が挿通する取り付け方でもよい。部品点数を削減する上では、ネットの網目に吊り下げ部品を通すのがよい。吊り下げ部品は、変形自在な不定形の紐状部品でも、一定の形状を持つ棒状（ビーム状）部品でもよい。
【００１０】
上記の吊り下げ部品が、可変長または一定長のビーム状部品であり、該ビーム状部品の両端に当該ビーム状部品の断面より大きな断面のビーム端部が設けられ、２本の支柱には、吊り下げ部品の上下移動に際し、ビーム端部を脱着可能に嵌め入れてガイドするためのガイド部が設けられ、該ガイド部には、吊り下げ部品を係止するための係止部が、少なくとも一つ設けられる構造をとることができる。これによって、ネットを吊り下げるように装着した吊り下げ部品を、ガイド部をスライドさせて持ち上げて、係止部に係止させることができる。持ち上げの際には、二股さおのような棒状部材で持ち上げることができる。ネットを装着した吊り下げ部品は、比較的重いので、中間に位置する係止部で一度セットしておいて、それから最上部の係止部に持ち上げることで、高齢者、児童等にとって組み立てやすくなる。また、台風などの急な取り外しの必要に迫られた際に、機動的な取り外しを可能とする。
【００１１】
上記のガイド部を、支柱と一定間隔を保って該支柱に沿って並行するように両端部が該支柱に固定された棒状部材、または、支柱の構成部品であるパイプに設けられた長孔、とすることができる。これによって、部品点数を削減しながら簡単な構造でガイド部を形成することができる。
【００１２】
吊り下げ部品が、紐状部品を主要部品に含み、支柱に、該紐状部品を係止する係止部、および、該紐状部品を締結する締結部、の少なくとも一方が設けられる構成にしてもよい。これによって、部品点数をさらに削減して、非常に安価な緑のカーテン・キットを提供することができる。
【考案の効果】
【００１３】
本考案によれば、ベランダ等に容易に設けられる、部品点数を大幅に削減した簡単な構造の緑のカーテン・キットを得ることができる。
【図面の簡単な説明】
【００１４】
【図１】本考案の実施の形態１における緑のカーテン・キットを説明するための図であり、（ａ）は正面図、（ｂ）は部分側面図、である。
【図２】図１に示す支柱の構造を説明するための図であり、ガイド装着部において、（ａ）は、支柱との間のスペースが大きい構造を、また（ｂ）はガイド部と同じ幅の構造を示す図である。
【図３】吊り下げ部品を例示する図であり、（ａ）は長さ可変部およびビーム端部を有するビーム状部材、（ｂ）は一定長でビーム端部を有するビーム状部材、（ｃ）は一定長で、両端に取付部材を取り付けたビーム状部材、を示す。
【図４】本考案の実施の形態２における緑のカーテン・キットを説明するための正面図である。
【図５】図４の支柱の構造を説明するための図である。
【図６】本考案の実施の形態３における緑のカーテン・キットを説明するための正面図である。
【図７】本考案の実施の形態４における緑のカーテン・キットを説明するための正面図である。
【考案を実施するための形態】
【００１５】
（実施の形態１）
図１（ａ）は、本考案の実施の形態１における緑のカーテン・キット１０を説明するための正面図である。図１（ａ）に示された育成中の植物による緑のカーテンは、本実施の形態の緑のカーテン・キット１０を組み立て、植物を成長させることで得られる。本実施の形態では、２本の支柱１は、ネット３が張られる所定の間隔をあけて設置される。ネット３は、ネット吊り下げ部品であるビーム状部材５によって吊り下げられている。そのビーム状部材５は、側面図の図１（ｂ）に示すように、両端を支柱１に固定されたガイド部１７における係止部１７ｂに支持されている。すなわち、図１（ａ）では見えない部屋側または住居側において、両端を支柱１に固定されたガイド部１７における係止部１７ｂに支持されている。
図２は、支柱１の構造を示す図である。また図３は、吊り下げ部品のビーム状部品５を示す図であり、（ａ）は、ねじ螺合機構の長さ可変部５ａ、および中間部の断面より大きい断面のビーム端部、を有するビーム状部品５であり、（ｂ）は、長さ一定のビーム状部品５であり、また（ｃ）は、一定長さで両端に嵌め込まれた嵌め込み部品によって端の断面を大きくしたビーム状部品５を示す。
【００１６】
図１（ａ）を参照して、植物が絡まるネット３は、吊り下げ部品のビーム状部材５に吊り下げられる。ネット３の揺れ等が大きいと、植物は生長しにくいので、紐、インシュロック、リング、その他の手段（図示せず）でネット３の上端を吊り下げ部品５に固定するのがよい。また、ネット３の根本側の支柱１に近い端部分についても、紐、インシュロック、リング等のネット締結材１５で、支柱１に締結するのがよい。ネットの目合は、１辺が１０ｃｍ程度とするのがよいが、植物の種類に応じて目が細かいものであってもよい。支柱１は、ネット３の重量は少なくとも負担し、その他に、吊り下げ部品、クリップ等の部品の重量を負担することは言うまでもない。
【００１７】
図２（ａ）を参照して、支柱１は、床側部１１と、中間パイプ１２と、天井側パイプ１３とで構成される。中間パイプ１２は、通常のマンション等の床−天井間の距離より数十センチ〜７０ｃｍ程度短い長さを持つようにする。床−天井間の距離に不足分の長さを床側部１１と天井側パイプ１３とが分担しながら、支柱１が床−天井間に突っ張り立ちできるように長さ調節をする。天井側パイプ１３には天井に当接する天井当接部７ａが、床側部１１には床に当接する床当接部７ｂが設けられる。当接部７ａ，７ｂは、端部に嵌め込まれる樹脂製部品とするのがよい。当接部７ａ，７ｂを樹脂製部品とすることで、支柱１を床と天井との間に立てたとき、樹脂の弾性によって反力が生じ、弾性部品以外の部品によって突っ張り力を増すことができる。突っ張り力は、支柱１が天井および床を押す力である。支柱１の詳細な構造については、あとで説明する。
【００１８】
中間パイプ１２の径はたとえば１９．１ｍｍとし、天井側パイプ１３の径は、たとえば１５．９ｍｍとするのがよい。床側部１１は、パイプでもよいが、六角ボルトを用いるのが、ボルトのねじを利用できるので好ましい。床側部１１は、ボルトを用いた場合は床側ボルト１１と呼ぶ。パイプにはアルミニウム製パイプ、ステンレススティール製パイプ、樹脂製パイプ等を用いることができる。加工のし易さ、強度等を考慮するとアルミニウム製パイプが好ましい。ボルトには鋼製ボルトを用い、防錆処理を施すのがよい。支柱１の全長は、２０５ｃｍ〜３００ｃｍ程度とするのがよい。
【００１９】
天井側パイプ１３、およびその天井側パイプ１３に取り付けた環状体２２には、剣先ねじ２１が取り付けられ、螺合されている。この剣先ねじ２１、環状体２２等によって、長さを調整して固定する長さ調節部が形成される。この剣先ねじ２１等は、天井側パイプ１３と中間パイプ１２との重複長さを調整して固定する機能を有する。
また、床側ボルト１１のねじには、内周にねじが切られた調整つまみ２６が螺合されている。この調整つまみ２６と、中間パイプ１２の下端に位置するブッシュ２７との間には、スプリング２５またはコイルばね装着されている。スプリング２５は、長さ方向の圧縮力に対して反力を発生する弾性部材である。また、中間パイプ１２の下端に位置するブッシュ２７と、床側ボルト１１に螺合された調整つまみ２６とは、床側ボルト１１と中間パイプ１２との重複長さを調整して固定する機能を有する。この場合、ブッシュ２７と調整つまみ２６との間にスプリング２５が介在するので、スプリング２５の変形ひずみも床側ボルト１１と中間パイプ１２との重複長さに影響する。
すなわち、長さ調節部は、（ａ１）環状体２２、剣先ねじ２１、図示しない中間パイプ１２の凹部（剣先ねじの先が嵌る）、（ａ２）ブッシュ２７、スプリング２５、調整つまみ２６など、によって形成されている。
スプリング２５が装着されることで、床と天井との間に支柱１を突っ張り立ちさせたとき、床および天井の面に圧力Ｎを及ぼし、当接部７ａ，７ｂと床面（天井面）との間の摩擦係数μのとき、ずれる力に抗してμＮの摩擦力を生じる。すなわち、台風などの風を受けて支柱がずれようとしても、上記の摩擦力によって突っ張り立ちの状態を安定に維持される。
【００２０】
図３に示すように、ネット３を吊り下げるビーム状部材５は、両端に断面の大きいビーム端部５ｋまたは断面を大きくするための取付端部５ｆを有する。このビーム端部５ｋ，５ｆは、支柱１と並行ガイド部１７との間に嵌め込まれて、ビーム状部材５の上下移動の際のガイドに利用される。並行ガイド部１７と支柱１との間にビーム状部材５を嵌め込むときは、並行ガイド部１７の低い位置に設けた支柱との間のスペースが大きい構造（図２（ａ）参照）、またはガイド部と同じ幅の構造（図２（ｂ）参照）、のガイド装着部１７ａにおいて、ビーム状部材５のビーム端部５ｋ，５ｆを並行ガイド部１７と支柱１との間隙に嵌め入れる。この並行ガイド部１７への装着によって、ビーム状部材５は、上下移動に際して、並行ガイド部１７にガイドされ、円滑に上下移動するようになる。係止部１７ｂまたはガイド装着部１７ａでは、装着された状態で、ビーム状部材５は、ヒトが支持しなくても、並行ガイド部１７によって支持されている。
ネット３を取り付けたビーム状部材５は、比較的重い。ネット３を取り付けたビーム状部材５をガイド装着部１７ａで嵌め入れ、当該ガイド装着部１７ａに、ビーム状部材５およびネット３を支持させる。次いで、二股さおなどによってビーム状部材５を、片側ずつ支持して持ち上げれば、小さい力で、ビーム状部材を上端の係止部１７ｂに係止させることができる。このため、並行ガイド部１７を設けることで、高齢者や年少者は、容易にネット３を天井側に移動させることができる。
吊り下げ部品のビーム状部品５は、可変の場合、長さ調節部５ａによって９００ｍｍ〜１２００ｍｍ程度の範囲に調節されるのがよい。一定長の場合は、１０５０ｍｍ程度とするのがよい。ビーム状部分の径は、２．５ｍｍ〜２０ｍｍ程度として、両端５ｋ，５ｆの直径は１５ｍｍ〜３０ｍｍ程度以下とするのがよい。
【００２１】
（実施の形態２）
図４は、本考案の実施の形態２における緑のカーテン・キット１０を説明するための正面図である。また、図５は、図４に示す支柱１を示す図である。本実施の形態における支柱１は、床側ボルト１１と、比較的短い長さの中間パイプ１２と、最も長い天井側パイプ１３とで構成される。本実施の形態におけるポイントは、ガイド部が、長孔３７によって形成される点にある。
天井側パイプ１３には、図３（ａ）〜（ｃ）に示すビーム状部材５をガイドするガイド部として長孔３７が設けられている。長孔３７の低い位置の端には、ビーム状部材５のビーム端部５ｋ，５ｆを嵌め入れる装着部３７ａが位置し、また天井側の長孔の端には、ビーム状部材５を係止する係止部３７ｂが位置している。ビーム状部材５の両端５ｋ，５ｆは、天井側パイプ１３の装着部３７ａにおいて長孔３７に装着され、天井側へと移動させられ、天井側の係止部３７ｂおいて、高さ位置を維持するように緩く拘束される。吊り下げ部品のビーム状部材５は、実施の形態１と同じものとすることができる。
上述のように、ネット３を吊り下げた状態でのビーム状部材５は、比較的重く、高齢者、児童にとって重いものとなる。また、ネット３をビーム状部材５に取り付ける際に、適当な作業台などが必要である。ビーム状部材５の両端５ｋ，５ｆを共に、装着部３７ａにおいて挿入して支持しておき、ビーム状部材５に、ネットを取り付ける作業を楽な姿勢で行うことができる。装着部３７ａは、腰の高さか、それより少し高めになるように設定する。ビーム状部材５を装着部３７ａの高さで、暫定的に固定しておき、ネット３を取り付けた後、使用者は、たとえば二股さお等を用いて、ビーム状部材５を一方のビーム端部５ｋ，５ｆごとに、両端より中央側の部分に長孔３７を通らせて、ビーム端部５ｋ，５ｆを長孔３７内を天井側の係止部３７ｂに移動させることができる。二股さおの長さは、５００ｍｍ〜１０００ｍｍ程度とするのがよい。これによって、使用者は容易に緑のカーテン・キットを組み立てることができる。
上記の長孔３７のガイド部、および並行ガイド部１７、における、係止部３７ｂおよび装着部３７ａ、ならびに、係止部１７ｂおよび装着部１７ａは、一方に当てはまる使用における作用効果は、他方においても得ることができる。
【００２２】
支柱１の長さを調整して固定する機構は、本実施の形態では、中間パイプ１２と天井側パイプ１３との螺合、および中間パイプ１２と床側ボルト１１との螺合、によって行うことができる。長さの固定を確実にするために、天井側パイプ１３と中間パイプ１２とに、貫通孔を設けて剣先つまみを挿入させてもよい。天井当接部７ａは、他に圧縮力に対して反発する弾性部材がないので、弾性樹脂製の嵌め込み部品を用いるのがよい。また、床側の床当接部７ｂについては、床側ボルト１１の鋼製平板ヘッドに樹脂板を含ませて複合部材として、弾性力を保持させてもよい。
【００２３】
（実施の形態３）
図６は、本考案の実施の形態３における緑のカーテン・キットを示す図である。支柱１は、実施の形態１における支柱と同じように、床側ボルト１１、中間パイプ１２、天井側パイプ１３、剣先つまみ２１、環状体２２、スプリング２５、ブッシュ２７、調節つまみ２６などを備えている。
本実施の形態では、吊り下げ部品に、ビーム状部材５および紐状部品４５の両方を用い、紐状部品４５によって、支柱１に重量を支えさせる。吊り下げ部品が、ビーム状部材５および紐状部品４５の両方で構成されることにポイントがある。支柱１には、ビーム状部材５の高さ位置に合わせて紐状部品４５を挿通させることで、紐状部品４５の水平部の高さを決める紐挿通部４６が設けられている。この紐挿通部４６は、吊り下げ部品５，４５の係止部とみることができる。また、支柱１には、紐状部品４５の長さを調節して固定するためのハンドル状の紐締結部４７が設けられている。この紐締結部４７も、吊り下げ部品５，４５の係止部とみることができる。
【００２４】
ビーム状部材５の両端は紐状部品４５との連結を、簡単に確実にするために、係止孔５ｅを設けておくのがよい。図６の緑のカーテン・キット１０を組み立てるときは、支柱１を天井と床との間に突っ張り立ちさせる前に、次の作業を行う。ネット３をビーム状部材５に装着して、ビーム状部材５の両端の係止孔５ｅに２本の紐状部品４５のそれぞれを結んでおく。ビーム状部材５の両端５ｅに結んだ２本の紐状部品４５の両方を、支柱１の紐挿通孔４６に通して、一方の紐状部品４５を支柱１に設けた締結部４７に締結し、他方の紐状部品４５は未締結の状態にしておく。この状態において、２本の支柱１を天井面と床面との間に突っ張り立ちさせる。そのあとで、紐状部品４５の他方を、もう一方の支柱１の締結部４７に締結して、紐状部品４５の長さを固定する。
本実施の形態においては、支柱に対する加工は簡単なものですむ。すなわち、紐挿通部４６および紐締結部４７を、支柱１に取り付ければよい。このため、安価に緑のカーテン・キットを得ることができる。
【００２５】
（実施の形態４）
図７は、本考案の実施の形態４における緑のカーテン・キットを示す図である。支柱１は、実施の形態１における支柱と同じように、床側ボルト１１、中間パイプ１２、天井側パイプ１３、剣先つまみ２１、環状体２２、スプリング２５、ブッシュ２７、調節つまみ２６などを備えている。
本実施の形態では、吊り下げ部品に、紐状部品４５のみを用いることにポイントがある。支柱１には、吊り下げ部品の紐状部品４５の高さ位置に合わせて紐状部品４５を挿通させることで、紐状部品４５の水平部の高さを決める紐挿通部４６が設けられている。この紐挿通部４６は、吊り下げ部品である紐状部品４５の係止部とみることができる。また、支柱１には、紐状部品４５の長さを調節して固定するためのハンドル状の紐締結部４７が設けられている。この紐締結部４７も、吊り下げ部品である紐状部品４５の係止部とみることができる。また、紐状部品４５でネット３を吊り下げるのは、紐状部品４５が自立定形性がなく変形しやすいので、クリップや可塑性ワイヤなどのネット固定具４８を用いてネット３を紐状部品４５に固定することが望ましい。
【００２６】
図７の緑のカーテン・キット１０を組み立てるときは、支柱１を天井と床との間に突っ張り立ちさせる前に、紐状部品４５を、一方の端のみを紐挿通孔４６に通して、締結部４７に締結しておく。ネット３を紐状部品４５に固定した後、他方の端の紐状部品４５を、相手側の支柱１の紐挿通孔４６に通しておく。この状態において、２本の支柱１を天井と床との間に突っ張り立ちさせる。そのあとで、紐状部品４５の他方の端を締結部４７に締結して、紐状部品４５の長さを固定する。
本実施の形態においては、支柱に対する加工は簡単なものですむ。また部品点数も少なくて済む。このため、非常に安価に緑のカーテン・キットを得ることができる。
【００２７】
（その他の実施の形態）
（１）支柱は、複数のパイプ、複数もしくは一つのパイプと複数もしくは一つの棒状部材（ボルトなど）、または、複数の棒状部材、によって構成することができる。
（２）吊り下げ部品は、ビーム状部材および紐状部品について説明したが、吊り下げ部品がなく、ネットが、直接、支柱に係止されるものであってもよい。
（３）上記の緑のカーテン・キットは植物を対象にする例について説明したが、植物以外に、たとえば、よしず、シェードなどを吊り下げるために用いてもよい。
【００２８】
今回開示された実施の形態はすべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【産業上の利用可能性】
【００２９】
本考案の緑のカーテン・キットは、部品点数を大幅に削減した簡単な構造であるため、インターネットや量販店などで購入することができ、高齢者、児童にも容易に組み立てることができる。マンション、アパートの居住者に広く利用され、環境に良い影響を及ぼすことが期待される。
【符号の説明】
【００３０】
１  支柱、３  ネット、５  ビーム状部材（吊り下げ部品）、５ａ  長さ可変部、５ｅ  端部の係止孔、５ｆ  ビーム取付部品、５ｋ  ビーム端部、７ａ  天井当接部，７ｂ  床当接部、１０  緑のカーテン・キット（組み立てた状態）、１１  床側ボルト、１２  中間パイプ、１３  天井側パイプ、１５  ネット締結材、１７  並行ガイド部、１７ａ  ガイド部への装着部、１７ｂ  係止部、２１  剣先つまみ、２２  環状体、２５  スプリング（コイルばね：弾性部材）、２６  調節つまみ、２７  ブッシュ、３０  プランタ、３７  長孔（ガイド部）、３７ａ  長孔への装着部、３７ｂ  係止部、４５  紐状部品、４６  紐挿通部、４７  紐締結部、４８  ネット固定具。
【図１】
0003152360.tif 000003
【図２】
0003152360.tif 000004
【図３】
0003152360.tif 000005
【図４】
0003152360.tif 000006
【図５】
0003152360.tif 000007
【図６】
0003152360.tif 000008
【図７】
0003152360.tif 000009